(57)【要約】      （修正有）【課題】構成の複雑化を回避でき、かつ循環系に対する夾雑物の影響を緩和できる試料計測装置を提供する。【解決手段】試料計測装置１Ａは、液体試料Ｓをポンプ１１により循環させる循環系３と、循環系３に配置され、液体試料Ｓ中の夾雑物Ｃを捕捉する少なくとも一つのフィルタ４と、循環系３を循環する液体試料Ｓを計測する計測部５と、循環系３における液体試料Ｓの流れ方向を切り替える切替部（６）と、を備え、循環系３は、切替部による液体試料Ｓの流れ方向の切り替えに依らずに液体試料Ｓの流れ方向が常に一定となる共通流路１３を有し、循環系３において、ポンプは共通流路１３に配置され、フィルタは共通流路１３以外の流路に配置されている。【選択図】図１
2020160011.tif 000002
【特許請求の範囲】
【請求項１】
液体試料を計測する試料計測装置であって、
前記液体試料をポンプにより循環させる循環系と、
前記循環系に配置され、前記液体試料中の夾雑物を捕捉する少なくとも一つのフィルタと、
前記循環系を循環する前記液体試料を計測する計測部と、
前記循環系における前記液体試料の流れ方向を切り替える切替部と、を備え、
前記循環系は、前記切替部による前記液体試料の流れ方向の切り替えに依らずに前記液体試料の流れ方向が常に一定となる共通流路を有し、
前記循環系において、前記ポンプは前記共通流路に配置され、前記フィルタは前記共通流路以外の流路に配置されている試料計測装置。
【請求項２】
前記フィルタは、前記共通流路を挟むように配置されている請求項１記載の試料計測装置。
【請求項３】
前記計測部は、前記共通流路に配置されている請求項１又は２記載の試料計測装置。
【請求項４】
前記計測部は、前記共通流路以外の流路に接続された計測流路に配置されている請求項１又は２記載の試料計測装置。
【請求項５】
前記循環系に洗浄液を導入する洗浄液導入流路を更に備える請求項１〜４のいずれか一項記載の試料計測装置。
【請求項６】
前記洗浄液導入流路は、前記共通流路に接続されている請求項５記載の試料計測装置。
【請求項７】
前記洗浄液導入流路は、前記共通流路以外の流路に接続されている請求項５記載の試料計測装置。
【請求項８】
前記循環系に校正液を導入する校正液導入流路を更に備える請求項１〜７のいずれか一項記載の試料計測装置。
【請求項９】
前記循環系を流れる液体を貯留するタンクを更に備える請求項１〜８のいずれか一項記載の試料計測装置。
【請求項１０】
前記計測部は、鉛直方向に設けられている請求項１〜９のいずれか一項記載の試料計測装置。
【発明の詳細な説明】
【技術分野】
【０００１】
本開示は、試料計測装置に関する。
【背景技術】
【０００２】
従来、流路系において液体試料の成分計測等を行う試料計測装置が知られている。例えば特許文献１に記載の植物育成管理装置は、養液を供給する流路と、排液を排出する流路と、これらの流路の開閉弁とを備えている。この装置では、排液の流路に導電率やｐＨ等を検出するセンサが設けられており、センサの検出信号に基づいて養液の流路の開閉弁が制御される。
【先行技術文献】
【特許文献】
【０００３】
【特許文献１】特開２０１２−２３１７２１号公報
【発明の概要】
【発明が解決しようとする課題】
【０００４】
上述したような試料計測装置では、液体試料の吸光度や蛍光強度などを指標とする計測が行われる場合が多い。計測の実施にあたっては、液体試料中の夾雑物（計測対象となる物質以外の物質）の存在が問題となる。例えば光学計測を行う場合には、夾雑物が光の散乱の要因となり、光学計測の精度を低下させるおそれがある。また、環境計測の分野では、液体試料をサンプリングして時間的に断続した計測を行うよりも、細かい時間分解能で連続的かつ長期的に成分変動の計測を行うことで、得られる情報量を格段に増加させることができる。
【０００５】
かかる計測を実施するには、ポンプ等を含む循環系の構築が必要となるが、装置構成の複雑化の回避が課題となる。また、夾雑物の存在は、循環系の目詰まりなどを引き起こすため、循環系の連続運転の妨げになり得る。このため、循環系に対する夾雑物の影響を緩和する工夫が必要となる。
【０００６】
本開示は、上記課題の解決のためになされたものであり、構成の複雑化を回避でき、かつ循環系に対する夾雑物の影響を緩和できる試料計測装置を提供することを目的とする。
【課題を解決するための手段】
【０００７】
本開示の一側面に係る試料計測装置は、液体試料を計測する試料計測装置であって、液体試料をポンプにより循環させる循環系と、循環系に配置され、液体試料中の夾雑物を捕捉する少なくとも一つのフィルタと、循環系における液体試料の流れ方向を切り替える切替部と、循環系を循環する液体試料を計測する計測部と、を備え、循環系は、切替部による液体試料の流れ方向の切り替えに依らずに液体試料の流れ方向が常に一定となる共通流路を有し、循環系において、ポンプは共通流路に配置され、フィルタは共通流路以外の流路に配置されている。
【０００８】
この試料計測装置では、切替部によって循環系における液体試料の流れ方向が切り替えられる。これにより、フィルタを通過する液体試料の流れ方向が反転し、フィルタに捕捉された夾雑物を剥離することができる。したがって、フィルタの目詰まりを抑制でき、循環系の連続運転が可能となる。また、この試料計測装置では、液体試料の流れ方向が常に一定となる共通流路にポンプが配置されている。これにより、循環系において、切替部によって液体試料の流れ方向が切り替えられる流路と、液体試料の流れ方向が常に一定となる共通流路とを単体のポンプで形成できる。したがって、装置構成の複雑化を回避できる。
【０００９】
フィルタは、共通流路を挟むように配置されていてもよい。この場合、共通流路を流れる液体試料は、常にフィルタで濾過された状態となる。したがって、共通流路に配置されたポンプに対する夾雑物の影響を緩和することができ、循環系をより長期間にわたって連続運転することが可能となる。
【００１０】
計測部は、共通流路に配置されていてもよい。共通流路では、液体試料の流れ方向が常に一定となる。この場合、例えばクロマトグラフィのように、流れ方向が常に一定である条件下のみで実施できる実験を行うことが可能となる。また、液体試料の流れ方向が一定であることを利用し、計測部の配置や向き等を変えることなく計測部から気泡を押し出すことが可能となり、計測部における気泡の滞留を抑制できる。フィルタが共通流路を挟むように配置される場合には、光学計測の際の夾雑物による光の散乱等の影響が抑えられる。したがって、計測精度の向上が図られる。
【００１１】
計測部は、共通流路以外の流路に接続された計測流路に配置されていてもよい。この場合、溶媒を添加する液体クロマトグラフィのように、ポンプを通すことができない液体試料に対する計測を行うことが可能となる。
【００１２】
試料計測装置は、循環系に洗浄液を導入する洗浄液導入流路を更に備えていてもよい。これにより、循環系の全体の洗浄を実施できる。
【００１３】
洗浄液導入流路は、共通流路に接続されていてもよい。この場合、洗浄液をポンプの近傍から導入できるので、ポンプの洗浄が容易なものとなる。
【００１４】
洗浄液導入流路は、共通流路以外の流路に接続されていてもよい。この場合、洗浄液をフィルタの近傍から導入できるので、フィルタの洗浄が容易なものとなる。
【００１５】
試料計測装置は、循環系に校正液を導入する校正液導入流路を更に備えていてもよい。校正液は、既知の計測値を有する液体である。校正液を実際に計測した計測値を既知の計測値と比較し、誤差を補正することで、計測の精度を向上させることが可能となる。
【００１６】
試料計測装置は、循環系を流れる液体を貯留するタンクを更に備えていてもよい。この場合、例えば循環系からの排液をタンクに回収することができる。
【００１７】
計測部は、鉛直方向に設けられていてもよい。計測部に気泡が滞留すると、光学計測の際に気泡による光の散乱等が生じることが考えられる。計測部を鉛直方向に設けることで、気泡の滞留が抑制され、計測精度の向上が図られる。
【発明の効果】
【００１８】
本開示によれば、構成の複雑化を回避でき、かつ循環系に対する夾雑物の影響を緩和できる。
【図面の簡単な説明】
【００１９】
【図１】試料計測装置の第１実施形態を示す概略図である。
【図２】液体試料の連続計測の一例を示す図である。
【図３】連続計測の計測結果の一例を示す図である。
【図４】試料計測装置の第２実施形態を示す概略図である。
【図５】試料計測装置の第３実施形態を示す概略図である。
【図６】試料計測装置の第４実施形態を示す概略図である。
【図７】試料計測装置の第５実施形態を示す概略図である。
【図８】試料計測装置の第６実施形態を示す概略図である。
【発明を実施するための形態】
【００２０】
以下、図面を参照しながら、本開示の一側面に係る試料計測装置の好適な実施形態について詳細に説明する。
［第１実施形態］
【００２１】
図１は、試料計測装置の第１実施形態を示す概略図である。試料計測装置１Ａは、環境計測の分野において、細かい時間分解能で連続的かつ長期的に液体試料Ｓの成分変動の計測を行う装置として構成されている。試料計測装置１Ａは、図１に示すように、試料貯留部２と、循環系３と、フィルタ４と、計測部５と、切替部６と、を備えている。
【００２２】
試料貯留部２は、例えば液体試料Ｓを貯留する大型のタンクである。液体試料Ｓは、例えば土壌に有機物を混入させた有機養液である。このため、液体試料Ｓには、多量の夾雑物（計測対象となる物質以外の物質）Ｃが含まれ得る。夾雑物Ｃとしては、例えば植物の枝葉、種、砂利、虫などが挙げられる。試料貯留部２は、タンクのような閉鎖系に限られず、河川のような非閉鎖系であってもよい。
【００２３】
循環系３は、液体試料Ｓをポンプ１１により循環させる部分である。循環系３は、管状流路１２と、管状流路１２の２点を繋ぐ共通流路１３と、管状流路１２と試料貯留部２とを繋ぐ一対の接続流路１４（１４Ａ，１４Ｂ）とによって構成されている。循環系３における液体試料Ｓの流れは、ポンプ１１によって形成される。ポンプ１１は、共通流路１３の上流側に設けられている。ポンプ１１は、共通流路１３の下流側に設けられていてもよい。
【００２４】
フィルタ４は、液体試料Ｓ中の夾雑物Ｃを捕捉する部分である。フィルタ４は、循環系３において少なくとも一つ配置される。本実施形態では、フィルタ４は、液体試料Ｓの流れ方向について、共通流路１３を挟むように配置されている。具体的には、フィルタ４は、接続流路１４において管状流路１２との接続部分に近接した位置に設けられている。これにより、試料貯留部２から流れる液体試料Ｓは、常にフィルタ４を通過した後に共通流路１３に向かうようになっている。夾雑物Ｃは、液体試料Ｓの流れ方向が接続流路１４から管状流路１２に向かう方向である場合には、フィルタ４において管状流路１２から見て外側、つまり、試料貯留部２側に堆積する。夾雑物Ｃは、液体試料Ｓの流れ方向が接続流路１４から管状流路１２に向かう方向である場合には、フィルタ４から剥離し、液体試料Ｓと共に試料貯留部２に流れる。
【００２５】
計測部５は、循環系３を循環する液体試料Ｓを計測する部分である。計測部５は、共通流路１３においてポンプ１１よりも下流側に設けられている。本実施形態では、計測部５は、フローセルを備えた光学計測装置によって構成され、所定波長に対する液体試料Ｓの吸光度を連続計測する。フローセルの材質及び形状に特に制限はなく、石英やガラス等から目的に応じて適宜選択される。光学計測の手法及び計測する光学特性についても特に制限はなく、目的に応じて適宜選択される。
【００２６】
計測部５は、鉛直方向に設けられている。すなわち、計測部５を流れる液体試料Ｓの流れ方向は鉛直方向となっている。計測部５を鉛直方向に設けることで、液体試料Ｓに含まれる気泡が鉛直方向において下から上に移動する。このため、計測部５を鉛直方向に設け、計測部５の鉛直方向の上側に流路を接続することで、気泡が計測部５から排出され易くなる。したがって、計測部５における気泡の滞留が抑制され、計測精度の向上が図られる。また、この構成において、計測部５内の液体試料Ｓを鉛直方向において下から上に流すことで、気泡の下から上への移動を促進できる。計測部５は、完全に鉛直方向に設けられている必要はない。計測部５は、気泡が重力方向において下から上に移動可能な範囲において一定の傾斜で配置されていてもよい。
【００２７】
切替部６は、循環系３における液体試料Ｓの流れ方向を切り替える部分である。本実施形態では、切替部６は、管状流路１２において、接続流路１４との接続位置及び共通流路１３との接続位置との間に設けられた４つのバルブ１５Ａ〜１５Ｄによって構成されている。バルブ１５Ａ〜１５Ｄの開閉は、タイマーなどを用いることにより、一定の期間ごとに切り替えられる。この切り替えは、図示しない制御部により自動で行われてもよく、手動で行われてもよい。切替部６によって液体試料Ｓの流れ方向の切り替えが行われると、管状流路１２及び接続流路１４を流れる液体試料Ｓの流れ方向が反転する。一方、共通流路１３を流れる液体試料Ｓの流れ方向は、切替部６による切り替えに依らずに常に一定となる。
【００２８】
バルブ１５Ａ，１５Ｂが開状態で、かつバルブ１５Ｃ，１５Ｄが閉状態である場合、循環系３における液体試料Ｓの流れ方向は、図１の実線の矢印で示す循環パターン１に沿う方向となる。循環パターン１では、試料貯留部２からの液体試料Ｓは、接続流路１４Ａを流れ、フィルタ４を通って管状流路１２に流れる。管状流路１２に流れた液体試料Ｓは、ポンプ１１、計測部５の順に共通流路１３を流れ、計測部５による計測を受けた後、再び管状流路１２に流れる。その後、液体試料Ｓは、管状流路１２から接続流路１４Ｂに流れ、フィルタ４を通って試料貯留部２に戻る。
【００２９】
バルブ１５Ａ，１５Ｂが閉状態で、かつバルブ１５Ｃ，１５Ｄが開状態である場合、循環系３における液体試料Ｓの流れ方向は、図１の破線の矢印で示す循環パターン２に沿う方向となる。循環パターン２では、試料貯留部２からの液体試料Ｓは、接続流路１４Ｂを流れ、循環パターン１とは反対向きにフィルタ４を通って管状流路１２に流れる。管状流路１２に流れた液体試料Ｓは、循環パターン１と同じ流れ方向で共通流路１３を流れ、計測部５による計測を受けた後、再び管状流路１２に流れる。その後、液体試料Ｓは、管状流路１２から接続流路１４Ｂに流れ、循環パターン１とは反対向きにフィルタ４を通って試料貯留部２に戻る。
【００３０】
以上説明したように、試料計測装置１Ａでは、切替部６によって循環系３における液体試料Ｓの流れ方向が切り替えられる。これにより、フィルタ４を通過する液体試料Ｓの流れ方向が反転し、フィルタ４に捕捉された夾雑物Ｃを剥離することができる。したがって、フィルタ４の目詰まりを抑制でき、循環系３の連続運転が可能となる。
【００３１】
本実施形態では、フィルタ４から夾雑物Ｃが剥離する際、夾雑物Ｃと共にフィルタ４に捕捉されている微粒子養分、ごみ、微生物なども液体試料Ｓ中にリリースされる。これらを再び液体試料Ｓ中に戻すことで、試料貯留部２内のバイオプロセスへの影響を抑えながら液体試料Ｓの計測を実施することができる。また、試料計測装置１Ａでは、液体試料Ｓの流れ方向が常に一定となる共通流路１３にポンプ１１が配置されている。これにより、循環系３において、切替部６によって液体試料Ｓの流れ方向が切り替えられる流路と、液体試料Ｓの流れ方向が常に一定となる共通流路１３とを単体のポンプ１１で形成できる。したがって、装置構成の複雑化を回避できる。
【００３２】
試料計測装置１Ａでは、フィルタ４が共通流路１３を挟むように配置されている。この場合、共通流路１３を流れる液体試料Ｓは、常にフィルタ４で濾過された状態となる。したがって、共通流路１３に配置されたポンプ１１に対する夾雑物Ｃの影響を緩和することができ、循環系３をより長期間にわたって連続運転することが可能となる。
【００３３】
試料計測装置１Ａでは、計測部５が共通流路１３に配置されている。共通流路１３では、液体試料Ｓの流れ方向が常に一定となるため、液体試料Ｓの流れ方向が常に一定である条件下のみで実施できる実験を行うことが可能となる。また、液体試料Ｓの流れ方向が一定であることを利用し、計測部５の配置や向き等を変えることなく計測部５から気泡を押し出すことが可能となり、計測部５における気泡の滞留を抑制できる。さらに、試料計測装置１Ａでは、フィルタ４が共通流路１３を挟むように配置されているので、光学計測の際の夾雑物Ｃによる光の散乱等の影響が抑えられる。したがって、計測精度の向上が図られる。
【００３４】
図２は、液体試料の連続計測の一例を示す図である。この連続計測は、土壌性有機物の中心吸光波長帯である２７０ｎｍの光に対する液体試料の吸光度を上記の試料計測装置を用いて長期に計測したものである。液体試料としては、水に土と植物残差由来の有機物を所定の量で溶かし込んだ養液を用いた。従来の試料計測装置では、夾雑物が原因と推察されるトラブル（フィルタの目詰まりやポンプの駆動停止など）により、半日も持たずに計測が不能となっていた。
【００３５】
これに対し、本開示の試料計測装置では、夾雑物が原因と推察されるトラブルは生じず、図２に示すように、５日以上の連続計測を実施することができた。また、連続計測の途中で有機物を追加で添加しても、循環系にトラブルは生じず、計測を継続することができた。また、計測結果においても、図３に示すように、同時刻でサンプリングし、別装置で吸光度計測を行った値との間で高い相関が得られており、十分な計測精度が確保できていることが分かる。
［第２実施形態］
【００３６】
図４は、試料計測装置の第２実施形態を示す概略図である。同図に示すように、第２実施形態に係る試料計測装置１Ｂは、循環系３の流路の構成が第１実施形態と異なっている。具体的には、試料計測装置１Ｂでは、フィルタ４の配置により夾雑物Ｃを捕捉する捕捉流路２１（２１Ａ，２１Ｂ）が管状流路１２に対して独立に設けられている。また、液体試料Ｓの流れ方向が常に一定となる共通流路１３（１３Ａ，１３Ｂ）が管状流路１２の外側及び内側にそれぞれ設けられている。
【００３７】
共通流路１３Ａ，１３Ｂ、接続流路１４Ａ，１４Ｂ、及び捕捉流路２１Ａ，２１Ｂは、いずれも切替部６を介して管状流路１２と接続されている。切替部６は、第１実施形態と同様に、例えばバルブによって構成されている。循環系３における液体試料Ｓの流れ方向は、第１実施形態と同様に、切替部６によって循環パターン１と循環パターン２との間で切り替えられる。
【００３８】
循環パターン１では、試料貯留部２からの液体試料Ｓは、接続流路１４Ａから管状流路１２に流れる。次に、液体試料Ｓは、捕捉流路２１Ａに流れ、フィルタ４を通って管状流路１２に戻った後、管状流路１２の外側の共通流路１３Ａに流れる。次いで、液体試料Ｓは、ポンプ１１、計測部５の順に共通流路１３Ａを流れ、計測部５による計測を受けた後、再び管状流路１２に流れる。さらに、液体試料Ｓは、捕捉流路２１Ｂに流れ、フィルタ４を通った後、再び管状流路１２に流れる。その後、液体試料Ｓは、管状流路１２の内側の共通流路１３Ｂ及び管状流路１２を流れ、接続流路１４Ｂを通って試料貯留部２に戻る。
【００３９】
循環パターン２では、試料貯留部２からの液体試料Ｓは、接続流路１４Ａから循環パターン１とは反対向きに管状流路１２に流れる。次に、液体試料Ｓは、捕捉流路２１Ｂに流れ、循環パターン１とは反対向きにフィルタ４を通って管状流路１２に戻った後、管状流路１２の外側の共通流路１３Ａに流れる。次いで、液体試料Ｓは、循環パターン１と同じ流れ方向でポンプ１１、計測部５の順に共通流路１３Ａを流れ、計測部５による計測を受けた後、再び管状流路１２に流れる。さらに、液体試料Ｓは、管状流路１２の内側の共通流路１３Ｂ及び管状流路１２を流れた後、捕捉流路２１Ａに流れ、循環パターン１とは反対向きにフィルタ４を通った後、再び管状流路１２に流れる。管状流路１２に流れた液体試料Ｓは、接続流路１４Ｂを通って試料貯留部２に戻る。
【００４０】
このような試料計測装置１Ｂにおいても、第１実施形態と同様の作用効果が奏され、構成の複雑化を回避でき、かつ循環系３に対する夾雑物Ｃの影響を緩和できる。
［第３実施形態］
【００４１】
図５は、試料計測装置の第３実施形態を示す概略図である。同図に示すように、第３実施形態に係る試料計測装置１Ｃは、計測部５が共通流路１３以外の流路に接続された計測流路３１に配置されている点で第１実施形態と異なっている。具体的には、試料計測装置１Ｃでは、計測部５が配置された計測流路３１が共通流路１３よりも下流側となる位置で管状流路１２に接続されている。計測流路３１と管状流路１２との接続部分には、液体試料Ｓの流れを分岐させる分岐部３２が配置されている。
【００４２】
この試料計測装置１Ｃでは、循環パターン１及び循環パターン２のいずれにおいても、分岐部３２から計測流路３１に向かって液体試料Ｓの一部が流れ、計測部５において液体試料Ｓの計測を実施できる。計測部５による計測を受けた液体試料Ｓは、計測流路３１を通って試料貯留部２に戻る。このような試料計測装置１Ｃにおいても、第１実施形態と同様の作用効果が奏され、構成の複雑化を回避でき、かつ循環系３に対する夾雑物Ｃの影響を緩和できる。また、計測流路３１が管状流路１２から独立した流路となっているため、溶媒を添加する液体クロマトグラフィのように、ポンプ１１を通すことができない液体試料Ｓに対する計測を行うことが可能となる。
【００４３】
なお、試料計測装置１Ｃでは、管状流路１２を流れる液体試料Ｓの圧力と、計測流路３１を液体試料Ｓの圧力との調整が容易となるように、これらの流路に圧力センサ等を設けることが好適である。また、試料計測装置１Ｃにおいては、計測部５による計測を受けた液体試料Ｓを試料貯留部２に戻さず、排液タンク等で回収する構成としてもよい。液体試料Ｓを回収する排液タンクは、液体試料Ｓが試料貯留部２に戻る流路の任意の位置に接続され得る。排液タンクは、例えば計測流路３１に接続されていてもよく、接続流路１４に接続されていてもよい。この場合、環境に影響を与えるような溶媒等を計測に用いたとしても、試料貯留部２内の液体試料Ｓが当該溶媒等で汚染されることを抑止できる。
［第４実施形態］
【００４４】
図６は、試料計測装置の第４実施形態を示す概略図である。同図に示すように、第４実施形態に係る試料計測装置１Ｄは、循環系３に洗浄液Ｗを導入する洗浄液導入流路４１と、循環系３に校正液Ｒを導入する校正液導入流路４２と、循環系を流れる液体を貯留するタンク４３とが設けられている点で第１実施形態と異なっている。
【００４５】
図６の例では、洗浄液タンク４４に繋がる洗浄液導入流路４１は、共通流路１３においてポンプ１１よりも上流側となる位置に接続されている。また、校正液タンク４５に繋がる校正液導入流路４２は、共通流路１３において洗浄液導入流路４１の接続位置と同位置に接続されている。共通流路１３と洗浄液導入流路４１及び校正液導入流路４２との接続位置には、バルブ４６が設けられている。バルブ４６の開閉により、共通流路１３への洗浄液Ｗ及び校正液Ｒの導入／停止の切り替えが行われる。洗浄液Ｗは、例えばエタノールであり、ここではポンプ１１及び計測部５の洗浄に用いられる。また、校正液Ｒは、既知の計測値を有する液体である。校正液Ｒを実際に計測した計測値を既知の計測値と比較し、誤差を補正することで、計測の精度を向上させることが可能となる。
【００４６】
図６の例では、タンク４３は、共通流路１３において計測部５よりも下流側となる位置に接続されている。ここでは、タンク４３は、洗浄液Ｗ及び校正液Ｒの排液を回収する排液タンクである。タンク４３と共通流路１３とは、排液流路４７によって接続されている。排液流路４７と共通流路１３との接続位置には、バルブ４８が設けられている。バルブ４８の開閉により、共通流路１３からタンク４３への洗浄液Ｗ及び校正液Ｒの排出／停止の切り替えが行われる。
【００４７】
このような試料計測装置１Ｄにおいても、第１実施形態と同様の作用効果が奏され、構成の複雑化を回避でき、かつ循環系３に対する夾雑物Ｃの影響を緩和できる。また、洗浄液Ｗをポンプ１１の近傍から導入できるので、洗浄液Ｗによるポンプ１１の洗浄が容易なものとなる。さらに、校正液Ｒにより誤差の補正が可能となり、計測精度の向上が図られる。洗浄液Ｗ及び校正液Ｒの排液は、タンク４３によって容易に回収することができる。液体試料Ｓの流れ及び洗浄液Ｗ・校正液Ｒの流れを一つのポンプ１１で形成できるので、簡素な構成が維持される。
［第５実施形態］
【００４８】
図７は、試料計測装置の第５実施形態を示す概略図である。同図に示すように、第５実施形態に係る試料計測装置１Ｅは、循環系３に洗浄液Ｗを導入する洗浄液導入流路４１と、循環系３に校正液Ｒを導入する校正液導入流路４２と、循環系を流れる液体を貯留するタンク４３とが設けられている点で第２実施形態と異なっている。ここでは、洗浄液導入流路４１と校正液導入流路４２とが共通となっており、管状流路１２の外側の共通流路１３Ａにおいてポンプ１１の上流側となる位置に接続されている。また、タンク４３への排液流路４７は、接続流路１４Ｂに接続されている。
【００４９】
このような試料計測装置１Ｅにおいても、第２実施形態と同様の作用効果が奏され、構成の複雑化を回避でき、かつ循環系３に対する夾雑物Ｃの影響を緩和できる。また、洗浄液Ｗをポンプ１１の近傍から導入できるので、洗浄液Ｗによるポンプ１１の洗浄が容易なものとなる。さらに、校正液Ｒにより誤差の補正が可能となり、計測精度の向上が図られる。洗浄液Ｗ及び校正液Ｒの排液は、タンク４３によって容易に回収することができる。液体試料Ｓの流れ及び洗浄液Ｗ・校正液Ｒの流れを単体のポンプ１１で形成できるので、簡素な構成が維持される。
［第６実施形態］
【００５０】
図８は、試料計測装置の第６実施形態を示す概略図である。同図に示すように、第６実施形態に係る試料計測装置１Ｆは、主に循環系３に洗浄液Ｗを導入する洗浄液導入流路４１が共通流路１３以外の流路に接続されている点で第５実施形態と異なっている。
【００５１】
具体的には、試料計測装置１Ｆでは、洗浄液導入流路４１は、接続流路１４及び捕捉流路２１と交わらずに独立して管状流路１２に接続されている。洗浄液導入流路４１には、洗浄液Ｗを管状流路１２に向けて流すためのポンプ５１がポンプ１１とは別体に設けられている。洗浄液導入流路４１と共通流路１３との接続位置には、バルブ５２が設けられている。バルブ５２の開閉により、洗浄液導入流路４１からの洗浄液Ｗの導入／停止の切り替えが行われる。
【００５２】
試料計測装置１Ｆでは、循環系３に校正液Ｒを導入する校正液導入流路４２は省略されている。試料計測装置１Ｆでは、接続流路１４Ｂが設けられておらず、その代わりに、管状流路１２の外側の共通流路１３Ａの下流側が試料貯留部２に接続されている。また、試料計測装置１Ｆでは、タンク４３への排液流路４７が接続流路１４及び捕捉流路２１と交わらずに独立して管状流路１２に接続されている。排液流路４７と管状流路１２との接続位置には、バルブ５３が設けられている。バルブ５３の開閉により、管状流路１２からの洗浄液Ｗの排出／停止の切り替えが行われる。
【００５３】
このような試料計測装置１Ｅにおいても、第２実施形態と同様の作用効果が奏され、構成の複雑化を回避でき、かつ循環系３に対する夾雑物Ｃの影響を緩和できる。また、洗浄液Ｗをフィルタ４の近傍から導入できるので、洗浄液Ｗによるフィルタ４の洗浄が容易なものとなる。洗浄液Ｗの排液は、タンク４３によって容易に回収することができる。
【符号の説明】
【００５４】
１Ａ〜１Ｆ…試料計測装置、３…循環系、４…フィルタ、５…計測部、６…切替部、１１…ポンプ、１３…共通流路、３１…計測流路、４１…洗浄液導入流路、４２…校正液導入流路、４３…タンク、Ｃ…夾雑物、Ｓ…液体試料、Ｒ…校正液、Ｗ…洗浄液。
【図１】
2020160011.tif 000003
【図２】
2020160011.tif 000004
【図３】
2020160011.tif 000005
【図４】
2020160011.tif 000006
【図５】
2020160011.tif 000007
【図６】
2020160011.tif 000008
【図７】
2020160011.tif 000009
【図８】
2020160011.tif 000010